(57)【特許請求の範囲】
【請求項１】
手のひらで握って全体を保持するためのグリップユニットと、グリップユニットの上方に位置する上部本体と、上部本体の正面側に設けられるステアリングユニットと、各種の拡張子を搭載したエクステンションユニットと、バッテリーを収納保持したバッテリーユニットとを備えてなるラジコン模型用の送信機において、少なくともグリップユニットと、上部本体と、ステアリングユニットと、エクステンションユニットとの各パーツを、パーツ交換の目的で相互に分離自在となり、かつ結合自在となるように組み立て、各パーツの結合部が、嵌合方式で連結したり、分離したりの脱着が自在となるように構成され、各パーツを差し込みあるいは引き抜きという簡単な操作を行うだけで各パーツの交換目的の分離や、結合が行えるように構成し、各パーツの連結状態を保持したり解除するためのストッパを備えていることを特徴とするラジコン模型用の送信機。
【請求項２】
手のひらで握って全体を保持するためのグリップユニットと、グリップユニットの上方に位置する上部本体と、上部本体の正面側に設けられるスティックユニットと、各種の拡張子を搭載したエクステンションユニットと、バッテリーを収納保持したバッテリーユニットとを備えてなるラジコン模型用の送信機において、少なくともグリップユニットと、上部本体と、スティックユニットと、エクステンションユニットとの各パーツを、パーツ交換の目的で相互に分離自在となり、かつ結合自在となるように組み立て、各パーツの結合部が、嵌合方式で連結したり、分離したりの脱着が自在となるように構成され、各パーツを差し込みあるいは引き抜きという簡単な操作を行うだけで各パーツの交換目的の分離や、結合が行えるように構成し、各パーツの連結状態を保持したり解除するためのストッパを備えていることを特徴とするラジコン模型用の送信機。
【請求項３】
グリップユニットに備えられるトリガー部を交換目的のために、グリップユニットから分離自在となり、かつ結合自在となるように、結合部が、嵌合方式で連結したり、分離したりの脱着が自在となるように構成され、トリガー部を差し込みあるいは引き抜きという簡単な操作を行うだけでトリガー部の交換目的の分離や、結合が行えるように構成し、トリガー部の連結状態を保持したり解除するためのストッパを備えていることを特徴とする請求項１又は２記載のラジコン模型用の送信機。
【請求項４】
グリップユニット下方に位置するバッテリーユニットを交換目的のために、グリップユニットから分離自在となり、かつ結合自在となるように、結合部が、嵌合方式で連結したり、分離したりの脱着が自在となるように構成され、バッテリーユニットを差し込みあるいは引き抜きという簡単な操作を行うだけでバッテリーユニットの交換目的の分離や、結合が行えるように構成し、バッテリーユニットの連結状態を保持したり解除するためのストッパを備えていることを特徴とする請求項１乃至３のいずれかに記載のラジコン模型用の送信機。
【発明の詳細な説明】
【技術分野】
【０００１】
本発明は、ラジコン模型自動車などをはじめとする各種のラジコン模型に制御信号を送信する送信機（コントローラー）に関し、さらに詳しくは送信機の構成部材を交換自在に組み合わせて、使用者が自分の好みに合わせて最適の組み合わせに係る送信機にカスタマイズできるようにしたラジコン模型用の送信機に関する。
【背景技術】
【０００２】
従来のラジコン模型用の送信機のタイプとして、一つは棒体状のグリップユニットを手のひらで握って全体を保持し、そのグリップユニットの上方に上部本体を備え、その上部本体に自動車のハンドル型のステアリングユニットを取り付けたステアリングタイプ送信機と、他の一つとしては、全体が薄い箱型状の送信機であって、その送信機の両サイドに両手をあてがって送信機の保持を行い、前面に設けられたスティックレバーの転動操作でラジコン模型の方向変換を行うようにしたスティックタイプ送信機とが知られている。
【０００３】
またステアリングタイプ送信機では、ラジコン模型の走行スピードをコントロールするためのスイッチとしてトリガー部が備えられており、一方スティックタイプ送信機では、トリガー部の代わりにスティックレバーが備えられているのが一般的である。
さらにステアリングタイプ送信機及びスティックタイプ送信機には、上記以外に各種の拡張子を搭載したエクステンションユニットとか、バッテリーを収納保持したバッテリーユニットなどが備えられている。
【０００４】
上記したステアリングタイプ送信機及びスティックタイプ送信機には、いずれも各構成要素である、グリップユニット、上部本体、ステアリングユニット、トリガー部、スティックレバー、エクステンションユニット、バッテリーユニットの各部（以下これら各部のことを指して、「パーツ」という）が、全体としてまとまりよく分離分割困難な状態に一体的に組み立てられており、当然のことながら各パーツの一部のみを自由に交換することは困難な状況であった。
【先行技術文献】
【特許文献】
【０００５】
【特許文献１】特開平８−１０７５８８号公報
【発明の概要】
【発明が解決しようとする課題】
【０００６】
上記した従来の送信機は、工場での製造段階でステアリングタイプ送信機かあるいはスティックタイプ送信機のいずれかの形態の送信機に仕上げられ、そのようにして製造された送信機は、送信機の使用者にとっては簡単に分解できるようなものではなかった。
したがって、送信機の使用者が、各パーツの一部のみを他のパーツに交換したいというような要望があっても、その要望には応えられないという問題点があった。
【０００７】
特に、ステアリングタイプ送信機を希望する使用者と、スティックタイプ送信機を希望する使用者とは、送信機の基本形態が相違するため、それぞれのタイプに慣れてしまった使用者が多いため、一部パーツの交換のみを要望するということは、大変切実な問題となっていた。
【０００８】
しかしながら、ステアリングタイプ送信機を希望する使用者（約９５％）は圧倒的多数であり、スティックタイプ送信機を希望する使用者（約５％）は圧倒的少数であるという現実があるため、送信機を製造する生産者、販売店にとっては、両タイプの送信機を顧客ニーズに応えるべく過不足なく、品揃えをすることは投資効率から言っても無理な状況があった。
【０００９】
さらに、圧倒的多数の使用者がいるステアリングタイプ送信機においても、各パーツに対する使用者の要望は多種にわたるため、その全ての要望に応える品揃えをすることも同様に困難な状況にあった。
【００１０】
本発明は、送信機の上記した各パーツを分離自在、かつ結合自在に構成することで、使用者の好みによって、各パーツを個別に自由に交換できるようにして、使用者にとって希望する最適の送信機がカスタマイズできるようにして、上記の全ての課題を解決できるようにしたラジコン模型用の送信機を提供せんとするものである。
【課題を解決するための手段】
【００１１】
本発明に係るラジコン模型用の送信機の請求項１のものは、手のひらで握って全体を保持するためのグリップユニットと、グリップユニットの上方に位置する上部本体と、上部本体の正面側に設けられるステアリングユニットと、各種の拡張子を搭載したエクステンションユニットと、バッテリーを収納保持したバッテリーユニットとを備えてなるラジコン模型用の送信機において、少なくともグリップユニットと、上部本体と、ステアリングユニットと、エクステンションユニットとの各パーツを、パーツ交換の目的で相互に分離自在となり、かつ結合自在となるように組み立て、各パーツの結合部が、嵌合方式で連結したり、分離したりの脱着が自在となるように構成され、各パーツを差し込みあるいは引き抜きという簡単な操作を行うだけで各パーツの交換目的の分離や、結合が行えるように構成し、各パーツの連結状態を保持したり解除するためのストッパを備えていることを特徴とするラジコン模型用の送信機である。
【００１２】
また請求項２は、手のひらで握って全体を保持するためのグリップユニットと、グリップユニットの上方に位置する上部本体と、上部本体の正面側に設けられるスティックユニットと、各種の拡張子を搭載したエクステンションユニットと、バッテリーを収納保持したバッテリーユニットとを備えてなるラジコン模型用の送信機において、少なくともグリップユニットと、上部本体と、スティックユニットと、エクステンションユニットとの各パーツを、パーツ交換の目的で相互に分離自在となり、かつ結合自在となるように組み立て、各パーツの結合部が、嵌合方式で連結したり、分離したりの脱着が自在となるように構成され、各パーツを差し込みあるいは引き抜きという簡単な操作を行うだけで各パーツの交換目的の分離や、結合が行えるように構成し、各パーツの連結状態を保持したり解除するためのストッパを備えていることを特徴とするラジコン模型用の送信機である。
【００１３】
ついで請求項３は、グリップユニットに備えられるトリガー部を交換目的のために、グリップユニットから分離自在となり、かつ結合自在となるように、結合部が、嵌合方式で連結したり、分離したりの脱着が自在となるように構成され、トリガー部を差し込みあるいは引き抜きという簡単な操作を行うだけでトリガー部の交換目的の分離や、結合が行えるように構成し、トリガー部の連結状態を保持したり解除するためのストッパを備えていることを特徴とする請求項１又は２記載のラジコン模型用の送信機ある。
【００１４】
また請求項４は、グリップユニット下方に位置するバッテリーユニットを交換目的のために、グリップユニットから分離自在となり、かつ結合自在となるように、結合部が、嵌合方式で連結したり、分離したりの脱着が自在となるように構成され、バッテリーユニットを差し込みあるいは引き抜きという簡単な操作を行うだけでバッテリーユニットの交換目的の分離や、結合が行えるように構成し、バッテリーユニットの連結状態を保持したり解除するためのストッパを備えていることを特徴とする請求項１乃至３のいずれかに記載のラジコン模型用の送信機である。
【００１５】
【００１６】
【００１７】
【発明の効果】
【００１８】
請求項１記載のラジコン模型用の送信機は、ステアリングタイプ送信機において、各パーツが独立的に連結、分離自在な構成であるため、使用者の好みによって、最も使い易い組み合わせを選択することができるようになり、送信機の製造メーカーからみると、製造時に基本的なスタンダードタイプのパーツを組み合わせたものを用意するだけで、多くのユーザーの種々の要望に応えられるという優れた効果を発揮する。
特にグリップユニットの中心となるグリップ部の大きさや太さ寸法、その素材などは、使用者からみると特に要求のレベルが高く、その要望はきめ細かく、そのため多種の要望が出るところであり、その要望にきめ細かく対応できるという優れた効果を発揮する。
また、各パーツの結合部が、嵌合方式で連結したり、分離したりの脱着が自在となるように構成されているため、差し込みあるいは引き抜きという簡単な操作を行うだけで各パーツの交換目的の分離や、結合が行えるという効果がある。
【００１９】
請求項２記載のラジコン模型用の送信機は、スティックタイプ送信機において、各パーツが独立的に連結、分離自在な構成であるため、使用者の好みによって、最も使い易い組み合わせを選択することができるようになり、送信機の製造メーカーからみると、製造時に基本的なスタンダードタイプのパーツを組み合わせたものを用意するだけで、多くのユーザーの種々の要望に応えられるという優れた効果を発揮する。
特にスティックタイプ送信機にグリップユニットを導入し、グリップユニットの中心となるグリップ部の大きさや太さ寸法、その素材などは、使用者からみると特に要求のレベルが高く、その要望はきめ細かく、そのため多種の要望が出るところであり、その要望にきめ細かく対応できるという優れた効果を発揮する。
また、各パーツの結合部が、嵌合方式で連結したり、分離したりの脱着が自在となるように構成されているため、差し込みあるいは引き抜きという簡単な操作を行うだけで各パーツの交換目的の分離や、結合が行えるという効果がある。
【００２０】
請求項３記載のラジコン模型用の送信機によれば、微妙なコントロールが要求されるトリガー部に対しても、その大きさや形状、素材に多種の要望が出るところであり、その要望にきめ細かく対応できるという優れた効果を発揮する。またスティックタイプ送信機にトリガー部を導入して、使い易さを一層向上させる効果も発揮される。
【００２１】
また請求項４記載のラジコン模型用の送信機によれば、グリップユニット下方に位置するバッテリーユニットを、グリップユニットから交換目的で分離自在とし、かつ結合自在となるように組み立てたので、好みのバッテリーユニットを自由に採択できるという優れた効果を発揮する。
【００２２】
【００２３】
【００２４】
【図面の簡単な説明】
【００２５】
【図１】本発明のラジコン模型用の送信機（ステアリングタイプ送信機）において、各パーツを一体的に結合させた状態の正面図である。
【図２】前図のラジコン模型用の送信機において、各パーツを相互に分離させた状態の分解正面図である。
【図３】本発明のラジコン模型用の送信機（スティックタイプ送信機）における、上部本体の正面図である。
【図４】前図の上部本体をラジコン模型用の送信機に一体的に結合させた状態の正面図である。
【発明を実施するための形態】
【００２６】
以下、図面を参照して本発明のラジコン模型用の送信機の実施の形態を説明する。
図１及び図２に示すステアリングタイプの送信機１は、グリップユニット２、上部本体３、ステアリングユニット４、エクステンションユニット５、バッテリーユニット６、トリガー部７で構成されている。
また図３及び図４に示されるスティックタイプの送信機１は、グリップユニット２、上部本体３、ステアリングユニット４、エクステンションユニット５、バッテリーユニット６、トリガー部７で構成されている。ただし、ステアリングタイプの送信機１に結合される上部本体３には、ラジコン模型の進行方向を調整するスティック９が左右方向に転動自在となるように組み込まれている。
【００２７】
送信機１の使用者は、グリップユニット２の手のひら当て部位１１と指掛け部位１２に、それぞれ手のひらと指先をあてがって、送信機１のホールドを行う。
使用者が右利きである場合は、通常、左手でグリップユニット２を握り、右手でステアリングユニット４や、上部本体３やエクステンションユニット５やスティック９の操作を行うことになる。
このグリップユニット２としては、グリップの握り形状や太さ寸法などにおいて、使用者の好みに合わせて各種のものが予め用意される。
【００２８】
上部本体３には、一例として液晶ディスプレー（ＬＣＤ）１０が設けられ、そこには各種操作内容とそれに伴う条件設定などの状況が表示される。この条件設定の入力のために、各種のスイッチとなるダイヤル、ボタン，レバーなどが設けられる。ダイヤル操作の一例としては、ジョグダイヤル（回転型セレクター）など、操作性に優れたものや、操作精度の高いものなどが適宜採択されるが、その組み合わせは各種多様となるため、バリエーションに応じて各目的に合うものが予め用意される。
なお図中の符号８は、送信機のアンテナを示している。
【００２９】
ステアリングユニット４には、一例として円形状のスポンジホイール型のものが一般的に用意されるが、それ以外に実際のＦ１カーで採用されているような変形四角形状や、楕円形状のものなどが多数用意される。
【００３０】
エクステンションユニット５には、拡張機能として扱われるあらゆるものが対象となり、その機能に応じた形態のものなどが多数用意される。エクステンションユニット５で扱うものの例としては、ラジコン模型にセットされる方向指示器の操作とか、ストップウオッチの計測用ボタンの操作などが挙げられる。
同様にバッテリーユニット６も、収納するバッテリーの種類、本数などに対応して各種のものが多数用意される。
さらにトリガー部７も、使用者の好みで使い易いタイプのトリガー部７が多数用意される。
【００３１】
本発明においては、グリップユニット２、上部本体３、ステアリングユニット４、エクステンションユニット５、バッテリーユニット６、トリガー部７、スティック９などの各パーツを、嵌合方式を採用することで、分離したり、結合したりする。
【００３２】
この嵌合方式の場合は、各パーツの結合部を、相互に嵌合可能な凹部と凸部に形成し、その凹部と凸部を適宜嵌合させて結合させ、必要に応じてその結合状態を解くように引き抜けるように構成されている。
さらに、完成した嵌合状態が、意に反して解けることがないように、一旦完成した結合状態を解くことが不能となるストッパを設け、各パーツの分離を行う際には、そのストッパの解除を行って分離が可能となるように構成しておくことも可能である。
【００３３】
【００３４】
【産業上の利用可能性】
【００３５】
本発明によれば、ラジコン模型用の送信機を製造する現場、それを販売する現場、それを利用する現場で幅広く利用することができる。
【符号の説明】
【００３６】
１    ラジコン模型用の送信機
２    グリップユニット
３    上部本体
４    ステアリングユニット
５    エクステンションユニット
６    バッテリーユニット
７    トリガー部
８    アンテナ
９    スティック
１０  液晶ディスプレー
１１  グリップユニットの手のひら当て部位
１２  グリップユニットの指掛け部位
【図１】
0005622450.tif 000002
【図２】
0005622450.tif 000003
【図３】
0005622450.tif 000004
【図４】
0005622450.tif 000005